(57)【要約】【課題】小型化、簡素化および低コスト化が図られた還流式のものであって、必要により操作者側管理の貨幣と機械側管理の貨幣との区別を明確する運用が可能な貨幣入出金機の提供。【解決手段】複数の第１収納部３８〜４０をすべて金種別収納部として使用し、入金口２２に投入され識別部３２で識別および計数された貨幣を金種別に選別して、一時貯留させることなく各金種別収納部３８〜４０に収納する還流運用モードと、第１収納部３８〜４０のうちのいずれか一つを一時貯留部として使用し、入金口２２に投入され識別部３２で識別および計数された貨幣を金種混合状態で一時貯留部に一時貯留させ、一時貯留部に一時貯留された貨幣を操作部への確定操作後に第２収納部２４に収納し第１収納部３８〜４０には収納しない非還流運用モードとを選択可能に構成する。【選択図】図２
2010102744.tif 000002
【特許請求の範囲】
【請求項１】
機外から貨幣が投入される入金口と、該入金口に投入された貨幣を搬送する貨幣搬送手段と、該貨幣搬送手段の途中に設けられて貨幣を識別しかつ計数する識別部と、該識別部の下流側に設けられて貨幣を選別収納する入出金可能な複数の第１収納部と、これら第１収納部の下流側に設けられて貨幣を収納する少なくとも入金が可能な第２収納部と、貨幣を機外へ取り出し可能とする出金部と、操作入力がなされる操作部とを有する貨幣入出金機であって、
前記複数の第１収納部をすべて金種別収納部として使用し、前記入金口に投入され前記識別部で識別および計数された貨幣を金種別に選別して、一時貯留させることなく前記各金種別収納部に収納する還流運用モードと、前記第１収納部のうちのいずれか一つを一時貯留部として使用し、前記入金口に投入され前記識別部で識別および計数された貨幣を金種混合状態で前記一時貯留部に一時貯留させ、該一時貯留部に一時貯留された貨幣を前記操作部への入金確定操作後に前記第２収納部に収納し前記第１収納部には収納しない非還流運用モードとが選択可能であり、
前記還流運用モードから前記非還流運用モードに切り換えられた時に、前記一時貯留部に設定された前記第１収納部の貨幣を自動的に前記第２収納部に収納させることを特徴とする貨幣入出金機。
【請求項２】
前記非還流運用モードから前記還流運用モードに切り換えられた時に、前記非還流運用モードで前記一時貯留部に設定されていた前記第１収納部を、前記操作部において複数金種の中から選択入力された金種の金種別収納部に設定可能であることを特徴とする請求項１記載の貨幣入出金機。
【請求項３】
前記非還流運用モードから前記還流運用モードに切り換えられた時に、前記非還流運用モードで前記一時貯留部に設定されていた前記第１収納部を５００円硬貨の金種別収納部として自動設定することを特徴とする請求項１記載の貨幣入出金機。
【請求項４】
機外から貨幣が投入される入金口と、該入金口に投入された貨幣を搬送する貨幣搬送手段と、該貨幣搬送手段の途中に設けられて貨幣を識別しかつ計数する識別部と、該識別部の下流側に設けられて貨幣を選別収納する入出金可能な複数の第１収納部と、これら第１収納部の下流側に設けられて貨幣を収納する少なくとも入金が可能な第２収納部と、貨幣を機外へ取り出し可能とする出金部と、操作入力がなされる操作部とを有する貨幣入出金機であって、
前記複数の第１収納部をすべて金種別収納部として使用し、前記入金口に投入され前記識別部で識別および計数された貨幣を金種別に選別して、一時貯留させることなく前記各金種別収納部に収納する還流運用モードと、前記第１収納部のうちのいずれか一つを一時貯留部として使用し、前記入金口に投入され前記識別部で識別および計数された貨幣を金種混合状態で前記一時貯留部に一時貯留させ、該一時貯留部に一時貯留された貨幣を前記操作部への入金確定操作後に前記第２収納部に収納し前記第１収納部には収納しない非還流運用モードとが選択可能であり、
前記非還流運用モードから前記還流運用モードに切り換えられた時に、前記非還流運用モードで前記一時貯留部に設定されていた前記第１収納部を、前記操作部において複数金種の中から選択入力された金種の金種別収納部に設定可能であることを特徴とする貨幣入出金機。
【請求項５】
機外から貨幣が投入される入金口と、該入金口に投入された貨幣を搬送する貨幣搬送手段と、該貨幣搬送手段の途中に設けられて貨幣を識別しかつ計数する識別部と、該識別部の下流側に設けられて貨幣を選別収納する入出金可能な複数の第１収納部と、これら第１収納部の下流側に設けられて貨幣を収納する少なくとも入金が可能な第２収納部と、貨幣を機外へ取り出し可能とする出金部と、操作入力がなされる操作部とを有する貨幣入出金機であって、
前記複数の第１収納部をすべて金種別収納部として使用し、前記入金口に投入され前記識別部で識別および計数された貨幣を金種別に選別して、一時貯留させることなく前記各金種別収納部に収納する還流運用モードと、前記第１収納部のうちのいずれか一つを一時貯留部として使用し、前記入金口に投入され前記識別部で識別および計数された貨幣を金種混合状態で前記一時貯留部に一時貯留させ、該一時貯留部に一時貯留された貨幣を前記操作部への入金確定操作後に前記第２収納部に収納し前記第１収納部には収納しない非還流運用モードとが選択可能であり、
前記非還流運用モードから前記還流運用モードに切り換えられた時に、前記非還流運用モードで前記一時貯留部に設定されていた前記第１収納部を５００円硬貨の金種別収納部として自動設定することを特徴とする貨幣入出金機。
【請求項６】
制御プログラムが記憶された記憶手段を有しており、該記憶手段から前記還流運用モード用の制御プログラムを読み出すことで前記還流運用モードが実行可能とされ、前記記憶手段から前記非還流運用モード用の制御プログラムを読み出すことで前記非還流運用モードが実行可能とされることを特徴とする請求項１乃至５のいずれか一項記載の貨幣入出金機。
【発明の詳細な説明】
【技術分野】
【０００１】
本発明は、貨幣入出金機に関する。
【背景技術】
【０００２】
小型化、簡素化および低コスト化を図るために、入金口に投入された貨幣を識別部で識別および計数した後、一時貯留させることなく金種別に選別して各金種別収納部に収納する貨幣還流式の貨幣入出金機がある（例えば特許文献１参照）。
【先行技術文献】
【特許文献】
【０００３】
【特許文献１】特許第２７９６０３３号公報
【発明の概要】
【発明が解決しようとする課題】
【０００４】
上記のような一時貯留部を持たない還流式の貨幣入出金機の場合、入金動作時に、操作者側管理の貨幣と機械側管理の貨幣との区別を明確にしづらいという問題があった。つまり、入金動作を行うと、識別部でリジェクトされた貨幣以外はすべて機械側管理の確定貨幣と同じ各金種別収納部等に収納されることになるため、入金確定操作前に取消し返却操作が入力されると、投入された貨幣そのものを返却するのではなく同金額の別の貨幣を返却することになる。このような処理を行う機械では、使用形態等によってはユーザーの要求に対して貨幣の管理が十分とは言えない場合があった。
【０００５】
一方、一時貯留部を持つ貨幣入出金機の場合、入金口に投入された貨幣を識別部で識別および計数した後、一時貯留させ、入金確定操作が入力されて初めて各金種別収納部に収納することになり、入金確定操作前に取消し返却操作が入力されると投入された貨幣そのものを一時貯留部から返却することになる。このような貨幣入出金機は、操作者側管理の貨幣と機械側管理の貨幣との区別を明確にできるため、貨幣の管理上は好ましいが、大型化、複雑化および高コスト化してしまう。
【０００６】
したがって、本発明は、小型化、簡素化および低コスト化が図られた還流式のものであって、必要により操作者側管理の貨幣と機械側管理の貨幣との区別を明確する運用が可能な貨幣入出金機の提供を目的とする。
【課題を解決するための手段】
【０００７】
上記目的を達成するために、請求項１に係る発明は、機外から貨幣が投入される入金口と、該入金口に投入された貨幣を搬送する貨幣搬送手段と、該貨幣搬送手段の途中に設けられて貨幣を識別しかつ計数する識別部と、該識別部の下流側に設けられて貨幣を選別収納する入出金可能な複数の第１収納部と、これら第１収納部の下流側に設けられて貨幣を収納する少なくとも入金が可能な第２収納部と、貨幣を機外へ取り出し可能とする出金部と、操作入力がなされる操作部とを有する貨幣入出金機であって、前記複数の第１収納部をすべて金種別収納部として使用し、前記入金口に投入され前記識別部で識別および計数された貨幣を金種別に選別して、一時貯留させることなく前記各金種別収納部に収納する還流運用モードと、前記第１収納部のうちのいずれか一つを一時貯留部として使用し、前記入金口に投入され前記識別部で識別および計数された貨幣を金種混合状態で前記一時貯留部に一時貯留させ、該一時貯留部に一時貯留された貨幣を前記操作部への入金確定操作後に前記第２収納部に収納し前記第１収納部には収納しない非還流運用モードとが選択可能であり、前記還流運用モードから前記非還流運用モードに切り換えられた時に、前記一時貯留部に設定された前記第１収納部の貨幣を自動的に前記第２収納部に収納させることを特徴としている。
【０００８】
請求項２に係る発明は、請求項１に係る発明において、前記非還流運用モードから前記還流運用モードに切り換えられた時に、前記非還流運用モードで前記一時貯留部に設定されていた前記第１収納部を、前記操作部において複数金種の中から選択入力された金種の金種別収納部に設定可能であることを特徴としている。
【０００９】
請求項３に係る発明は、請求項１に係る発明において、前記非還流運用モードから前記還流運用モードに切り換えられた時に、前記非還流運用モードで前記一時貯留部に設定されていた前記第１収納部を５００円硬貨の金種別収納部として自動設定することを特徴としている。
【００１０】
請求項４に係る発明は、機外から貨幣が投入される入金口と、該入金口に投入された貨幣を搬送する貨幣搬送手段と、該貨幣搬送手段の途中に設けられて貨幣を識別しかつ計数する識別部と、該識別部の下流側に設けられて貨幣を選別収納する入出金可能な複数の第１収納部と、これら第１収納部の下流側に設けられて貨幣を収納する少なくとも入金が可能な第２収納部と、貨幣を機外へ取り出し可能とする出金部と、操作入力がなされる操作部とを有する貨幣入出金機であって、前記複数の第１収納部をすべて金種別収納部として使用し、前記入金口に投入され前記識別部で識別および計数された貨幣を金種別に選別して、一時貯留させることなく前記各金種別収納部に収納する還流運用モードと、前記第１収納部のうちのいずれか一つを一時貯留部として使用し、前記入金口に投入され前記識別部で識別および計数された貨幣を金種混合状態で前記一時貯留部に一時貯留させ、該一時貯留部に一時貯留された貨幣を前記操作部への入金確定操作後に前記第２収納部に収納し前記第１収納部には収納しない非還流運用モードとが選択可能であり、前記非還流運用モードから前記還流運用モードに切り換えられた時に、前記非還流運用モードで前記一時貯留部に設定されていた前記第１収納部を、前記操作部において複数金種の中から選択入力された金種の金種別収納部に設定可能であることを特徴としている。
【００１１】
請求項５に係る発明は、機外から貨幣が投入される入金口と、該入金口に投入された貨幣を搬送する貨幣搬送手段と、該貨幣搬送手段の途中に設けられて貨幣を識別しかつ計数する識別部と、該識別部の下流側に設けられて貨幣を選別収納する入出金可能な複数の第１収納部と、これら第１収納部の下流側に設けられて貨幣を収納する少なくとも入金が可能な第２収納部と、貨幣を機外へ取り出し可能とする出金部と、操作入力がなされる操作部とを有する貨幣入出金機であって、前記複数の第１収納部をすべて金種別収納部として使用し、前記入金口に投入され前記識別部で識別および計数された貨幣を金種別に選別して、一時貯留させることなく前記各金種別収納部に収納する還流運用モードと、前記第１収納部のうちのいずれか一つを一時貯留部として使用し、前記入金口に投入され前記識別部で識別および計数された貨幣を金種混合状態で前記一時貯留部に一時貯留させ、該一時貯留部に一時貯留された貨幣を前記操作部への入金確定操作後に前記第２収納部に収納し前記第１収納部には収納しない非還流運用モードとが選択可能であり、前記非還流運用モードから前記還流運用モードに切り換えられた時に、前記非還流運用モードで前記一時貯留部に設定されていた前記第１収納部を５００円硬貨の金種別収納部として自動設定することを特徴としている。
【００１２】
請求項６に係る発明は、請求項１乃至５のいずれか一項に係る発明において、制御プログラムが記憶された記憶手段を有しており、該記憶手段から前記還流運用モード用の制御プログラムを読み出すことで前記還流運用モードが実行可能とされ、前記記憶手段から前記非還流運用モード用の制御プログラムを読み出すことで前記非還流運用モードが実行可能とされることを特徴としている。
【発明の効果】
【００１３】
請求項１に係る発明によれば、複数の入出金可能な第１収納部をすべて金種別収納部として使用し、入金口に投入され識別部で識別および計数された貨幣を金種別に選別して、一時貯留させることなく各金種別収納部に収納する還流運用モードでの運用とすることで、一時貯留部が不要な構成にでき、小型化、簡素化および低コスト化が図られた還流式の機械となる。そして、必要に応じて、複数の入出金可能な第１収納部のうちのいずれか一つを一時貯留部として使用し、入金口に投入され識別部で識別および計数された貨幣を金種混合状態で一時貯留部に一時貯留させ、該一時貯留部に一時貯留された貨幣を操作部への入金確定操作後に少なくとも入金可能な第２収納部に収納し第１収納部には収納しない非還流運用モードを選択することで、操作者側管理の貨幣と機械側管理の貨幣との区別を明確する運用が可能となる。
また、還流運用モードから非還流運用モードに切り換えられた時に、一時貯留部に設定された第１収納部の貨幣を自動的に第２収納部に収納させることになるため、一時貯留部に設定された第１収納部に還流運用モードでの貨幣が残存した状態でこれに非還流運用モードでの一時貯留貨幣が混ざってしまうことがなくなる。
【００１４】
請求項２に係る発明によれば、非還流運用モードから還流運用モードに切り換えられた時に、非還流運用モードで一時貯留部に設定されていた第１収納部を、操作部において複数金種の中から選択入力された金種の金種別収納部に設定可能であるため、複数の第１収納部に、すべて異なる金種の貨幣を収納させたり、同じ金種の貨幣を複数の第１収納部に収納させたりすることが可能となる。つまり、多金種化、大容量化等、ユーザーの要望に応じて最適な環境に設定することができる。
【００１５】
請求項３に係る発明によれば、非還流運用モードから還流運用モードに切り換えられた時に、非還流運用モードで一時貯留部に設定されていた第１収納部を５００円硬貨の金種別収納部として自動設定するため、非還流運用モードでの一時貯留部となる第１収納部と、還流運用モードでの５００円硬貨用の金種別収納部となる第１収納部とを共通にすることで、金種別収納部が少ない非還流運用モードにおいて、出金頻度が高い少額硬貨を出金可能にすることができる。
【００１６】
請求項４に係る発明によれば、複数の入出金可能な第１収納部をすべて金種別収納部として使用し、入金口に投入され識別部で識別および計数された貨幣を金種別に選別して、一時貯留させることなく各金種別収納部に収納する還流運用モードでの運用とすることで、一時貯留部が不要な構成にでき、小型化、簡素化および低コスト化が図られた還流式の機械となる。そして、必要に応じて、複数の入出金可能な第１収納部のうちのいずれか一つを一時貯留部として使用し、入金口に投入され識別部で識別および計数された貨幣を金種混合状態で一時貯留部に一時貯留させ、該一時貯留部に一時貯留された貨幣を操作部への入金確定操作後に少なくとも入金可能な第２収納部に収納し第１収納部には収納しない非還流運用モードを選択することで、操作者側管理の貨幣と機械側管理の貨幣との区別を明確する運用が可能となる。
また、非還流運用モードから還流運用モードに切り換えられた時に、非還流運用モードで一時貯留部に設定されていた第１収納部を、操作部において複数金種の中から選択入力された金種の金種別収納部に設定可能であるため、複数の第１収納部に、すべて異なる金種の貨幣を収納させたり、同じ金種の貨幣を複数の第１収納部に収納させたりすることが可能となる。つまり、多金種化、大容量化等、ユーザーの要望に応じて最適な環境に設定することができる。
【００１７】
請求項５に係る発明によれば、複数の入出金可能な第１収納部をすべて金種別収納部として使用し、入金口に投入され識別部で識別および計数された貨幣を金種別に選別して、一時貯留させることなく各金種別収納部に収納する還流運用モードでの運用とすることで、一時貯留部が不要な構成にでき、小型化、簡素化および低コスト化が図られた還流式の機械となる。そして、必要に応じて、複数の入出金可能な第１収納部のうちのいずれか一つを一時貯留部として使用し、入金口に投入され識別部で識別および計数された貨幣を金種混合状態で一時貯留部に一時貯留させ、該一時貯留部に一時貯留された貨幣を操作部への入金確定操作後に少なくとも入金可能な第２収納部に収納し第１収納部には収納しない非還流運用モードを選択することで、操作者側管理の貨幣と機械側管理の貨幣との区別を明確する運用が可能となる。
また、非還流運用モードから還流運用モードに切り換えられた時に、非還流運用モードで一時貯留部に設定されていた第１収納部を５００円硬貨の金種別収納部として自動設定するため、非還流運用モードでの一時貯留部となる第１収納部と、還流運用モードでの５００円硬貨用の金種別収納部となる第１収納部とを共通にすることで、金種別収納部が少ない非還流運用モードにおいて、出金頻度が高い少額硬貨を出金可能にすることができる。
【００１８】
請求項６に係る発明によれば、記憶手段から還流運用モード用の制御プログラムを読み出すことで還流運用モードが実行可能とされ、記憶手段から非還流運用モード用の制御プログラムを読み出すことで非還流運用モードが実行可能とされるため、記憶手段の制御プログラムの切り換えのみで、還流運用モードでの運用および非還流運用モードでの運用が切り換え可能となる。したがって、収納部や搬送路等のハードについては切り換えが不要であり、還流運用モードでの運用および非還流運用モードでの運用が容易に切り換え可能となる。
【図面の簡単な説明】
【００１９】
【図１】本発明の一実施形態の貨幣入出金機を示す斜視図である。
【図２】本発明の一実施形態の貨幣入出金機の紙幣入出金装置を概略的に示す側断面図である。
【図３】本発明の一実施形態の貨幣入出金機の紙幣入出金装置側の制御系ブロック図である。
【図４】本発明の一実施形態の貨幣入出金機の紙幣入出金装置を概略的に示す側断面図であって、還流運用モードでの入金動作時の入金確定操作前の紙幣の搬送ルートを太線で示すものである。
【図５】本発明の一実施形態の貨幣入出金機の紙幣入出金装置を概略的に示す側断面図であって、還流運用モードでの返却動作時および出金動作時の紙幣の搬送ルートを太線で示すものである。
【図６】本発明の一実施形態の貨幣入出金機の紙幣入出金装置を概略的に示す側断面図であって、還流運用モードでの回収動作時の紙幣の搬送ルートを太線で示すものである。
【図７】本発明の一実施形態の貨幣入出金機の紙幣入出金装置を概略的に示す側断面図であって、非還流運用モードでの入金動作時の入金確定操作前の紙幣の搬送ルートを太線で示すものである。
【図８】本発明の一実施形態の貨幣入出金機の紙幣入出金装置を概略的に示す側断面図であって、非還流運用モードでの入金動作時の入金確定操作後の紙幣の搬送ルートを太線で示すものである。
【図９】本発明の一実施形態の貨幣入出金機の紙幣入出金装置を概略的に示す側断面図であって、非還流運用モードでの返却動作時の紙幣の搬送ルートを太線で示すものである。
【図１０】本発明の一実施形態の貨幣入出金機の紙幣入出金装置を概略的に示す側断面図であって、非還流運用モードでの出金動作時の紙幣の搬送ルートを太線で示すものである。
【図１１】本発明の一実施形態の貨幣入出金機の紙幣入出金装置を概略的に示す側断面図であって、非還流運用モードでの補充動作時の紙幣の搬送ルートを太線で示すものである。
【図１２】本発明の一実施形態の貨幣入出金機の紙幣入出金装置を概略的に示す側断面図であって、非還流運用モードでの回収動作時の紙幣の搬送ルートを太線で示すものである。
【図１３】本発明の一実施形態の貨幣入出金機の紙幣入出金装置を概略的に示す側断面図であって、整理計数動作時の紙幣の搬送ルートを太線で示すものである。
【図１４】本発明の一実施形態の貨幣入出金機の硬貨入出金装置を概略的に示す側断面図である。
【図１５】本発明の一実施形態の貨幣入出金機の硬貨入出金装置を概略的に示す上部の平断面図である。
【図１６】本発明の一実施形態の貨幣入出金機の硬貨入出金装置を概略的に示す下部の平断面図である。
【図１７】本発明の一実施形態の貨幣入出金機の硬貨入出金装置側の制御系ブロック図である。
【図１８】本発明の一実施形態の貨幣入出金機の硬貨入出金装置を概略的に示す平断面図（ａ）および側断面図（ｂ）であって、還流運用モードでの入金動作時の入金確定操作前の硬貨の搬送ルートを太線で示すものである。
【図１９】本発明の一実施形態の貨幣入出金機の硬貨入出金装置を概略的に示す平断面図（ａ）および側断面図（ｂ）であって、還流運用モードでの返却動作時および出金動作時の硬貨の搬送ルートを太線で示すものである。
【図２０】本発明の一実施形態の貨幣入出金機の硬貨入出金装置を概略的に示す平断面図（ａ）および側断面図（ｂ）であって、還流運用モードでの回収動作時の硬貨の搬送ルートを太線で示すものである。
【図２１】本発明の一実施形態の貨幣入出金機の硬貨入出金装置を概略的に示す平断面図（ａ）および側断面図（ｂ）であって、非還流運用モードでの入金動作時の入金確定操作前の硬貨の搬送ルートを太線で示すものである。
【図２２】本発明の一実施形態の貨幣入出金機の硬貨入出金装置を概略的に示す平断面図（ａ）および側断面図（ｂ）であって、非還流運用モードでの入金動作時の入金確定操作後の硬貨の搬送ルートを太線で示すものである。
【図２３】本発明の一実施形態の貨幣入出金機の硬貨入出金装置を概略的に示す平断面図（ａ）および側断面図（ｂ）であって、非還流運用モードでの返却動作時の硬貨の搬送ルートを太線で示すものである。
【図２４】本発明の一実施形態の貨幣入出金機の硬貨入出金装置を概略的に示す平断面図（ａ）および側断面図（ｂ）であって、非還流運用モードでの出金動作時の硬貨の搬送ルートを太線で示すものである。
【図２５】本発明の一実施形態の貨幣入出金機の硬貨入出金装置を概略的に示す平断面図（ａ）および側断面図（ｂ）であって、非還流運用モードでの補充動作時の硬貨の搬送ルートを太線で示すものである。
【図２６】本発明の一実施形態の貨幣入出金機の硬貨入出金装置を概略的に示す平断面図（ａ）および側断面図（ｂ）であって、非還流運用モードでの回収動作時の硬貨の搬送ルートを太線で示すものである。
【発明を実施するための形態】
【００２０】
本発明の一実施形態の貨幣入出金機を図面を参照して以下に説明する。
図１に示すように、本実施形態の貨幣入出金機１０は、硬貨入出金装置１１と紙幣入出金装置１２とが一体に並設されたもので、例えばＰＯＳレジ等の上位機に接続されて釣銭機として用いられるものである。なお、以下の説明において、前は貨幣入出金機１０の操作者側、後は貨幣入出金機１０の操作者に対し反対側、左は貨幣入出金機１０の操作者から見て左、右は貨幣入出金機１０の操作者から見て右である。
【００２１】
硬貨入出金装置１１は貨幣入出金機１０の左右方向における一側具体的には右側に設けられており、紙幣入出金装置１２は左右方向における逆側具体的には左側に設けられている。
【００２２】
硬貨入出金装置１１には、前側つまり操作者側の上部の右側に、機外からバラ硬貨が金種が混在する状態で一括して投入される硬貨入金口（入金口）１５が設けられ、この硬貨入金口１５の左側に、操作者による操作入力が行われる操作部１６および操作者への表示を行う案内表示部（案内手段）１７が前後に並んで設けられている。また、硬貨入出金装置１１には、これら硬貨入金口１５、操作部１６および案内表示部１７の下側つまり前側の中間部の右側に、内部からバラ硬貨が機外に取出可能に出金される硬貨出金口（出金部）１８が設けられ、この硬貨出金口１８の左側にリジェクトされたリジェクト硬貨が排出される硬貨リジェクト口（リジェクト口）１９が設けられている。さらに、硬貨入出金装置１１には、これら硬貨出金口１８および硬貨リジェクト口１９の下側に硬貨回収庫（第２収納部）２０が着脱可能に設けられている。
【００２３】
紙幣入出金装置１２は、前側つまり操作者側の上部に、バラ紙幣が金種が混在する状態で機外から一括して投入される紙幣入金口（入金口）２２が設けられており、その下側つまり前側の中間部に内部からバラ紙幣が金種が混在する状態で出金される紙幣出金口（出金部）２３が設けられていて、この紙幣出金口２３の下側に、着脱可能な紙幣回収庫（第２収納部）２４が設けられている。
【００２４】
まず、紙幣入出金装置１２について主に図２〜図１３を参照して説明する。
【００２５】
紙幣入出金装置１２は、図２に示すように、紙幣入金口２２に投入された紙幣を一枚ずつに分離して繰り出す入金紙幣繰出部（繰出部）３０と、この入金紙幣繰出部３０で繰り出された紙幣を搬送する入金紙幣搬送路（貨幣搬送手段）３１と、入金紙幣搬送路３１の途中に設けられて紙幣の真偽、金種および正損等を識別しかつ真紙幣を金種毎に計数する紙幣識別部（識別部）３２とを有している。
【００２６】
また、紙幣入出金装置１２は、入金紙幣搬送路３１の紙幣識別部３２よりも下流側に設けられた振分部３４と、入金紙幣搬送路３１の振分部３４の位置から分岐するリジェクト紙幣搬送路（貨幣搬送手段）３５とを有している。リジェクト紙幣搬送路３５は紙幣出金口２３に接続する出金紙幣搬送路（貨幣搬送手段）３６に合流しており、振分部３４は、紙幣識別部３２の識別結果に応じて、偽券、汚損券および判別不能とされた紙幣を振分部材３４Ａによってリジェクト紙幣搬送路３５側へと振り分ける。そして、該偽券、汚損券および判別不能とされた紙幣は、入金紙幣搬送路３１からリジェクト紙幣搬送路３５へと搬送され、出金紙幣搬送路３６を介して機外へ取出可能となるように紙幣出金口２３に繰り出される。一方、振分部３４は、真券でありかつ汚損のない正券とされた紙幣を振分部材３４Ａによってそのまま入金紙幣搬送路３１の下流側へと導く。紙幣入出金装置１２は、この入金紙幣搬送路３１の振分部３４よりも下流側に、紙幣識別部３２の識別結果に基づいて紙幣を選別収納する入出金可能な複数具体的には三つの収納部としてのスタッカ（第１収納部）３８〜４０を有している。
【００２７】
つまり、紙幣入出金装置１２は、入金紙幣搬送路３１の振分部３４よりも下流側に、振分部材４２Ａによって紙幣を分岐紙幣搬送路４３側に振り分けて最も上流側のスタッカ３８へと導く振分部４２を有しており、入金紙幣搬送路３１の振分部４２よりも下流側に、振分部材４４Ａによって紙幣を分岐紙幣搬送路４５側に振り分けて中間のスタッカ３９へと導く振分部４４を有している。そして、入金紙幣搬送路３１の振分部４４よりも下流側には最も下流側のスタッカ４０が接続されている。
【００２８】
スタッカ３８は、上部の受入口３８ａから紙幣が一枚ずつ入金され、出金紙幣繰出部３８ｂが下部の繰出口３８ｃから紙幣を一枚ずつ分離して出金させる。スタッカ３９も、上部の受入口３９ａから紙幣が一枚ずつ入金され、出金紙幣繰出部３９ｂが下部の繰出口３９ｃから紙幣を一枚ずつ分離して出金させる。スタッカ４０も、上部の受入口４０ａから紙幣が一枚ずつ入金され、出金紙幣繰出部４０ｂが下部の繰出口４０ｃから紙幣を一枚ずつ分離して出金させる。
【００２９】
スタッカ３８の下部の繰出口３８ｃは繰出紙幣搬送路５０を介して、上記した紙幣出金口２３につながる出金紙幣搬送路３６に接続されている。スタッカ３９の下部の繰出口３９ｃは繰出紙幣搬送路５１を介して出金紙幣搬送路３６に接続されており、スタッカ４０の下部の繰出口４０ｃは繰出紙幣搬送路５２を介して出金紙幣搬送路３６に接続されている。
【００３０】
紙幣入出金装置１２は、出金紙幣搬送路３６におけるリジェクト紙幣搬送路３５の合流位置よりも下流側に設けられた振分部５４と、出金紙幣搬送路３６の振分部５４の位置から分岐する分岐紙幣搬送路５５とを有しており、この分岐紙幣搬送路５５には入金のみが可能な上記した紙幣回収庫２４が接続されている。振分部５４は、振分部材５４Ａによって紙幣回収庫２４に収納させるべき紙幣を分岐紙幣搬送路５５側へ、またそれ以外の紙幣をそのまま出金紙幣搬送路３６の下流側へと振り分ける。
【００３１】
また、紙幣入出金装置１２は、出金紙幣搬送路３６における振分部５４よりも下流側に設けられた振分部５７と、出金紙幣搬送路３６の振分部５７の位置から分岐する分岐紙幣搬送路５８とを有しており、この分岐紙幣搬送路５８には入金のみが可能な紙幣リジェクト庫５９が接続されている。振分部５７は、振分部材５７Ａによって紙幣リジェクト庫５９に収納させるべき紙幣を分岐紙幣搬送路５８側へ、またそれ以外の紙幣をそのまま出金紙幣搬送路３６の下流側つまり紙幣出金口２３側へと振り分ける。
【００３２】
ここで、紙幣回収庫２４は、貨幣入出金機１０から取り外されると、分岐紙幣搬送路５５に接続される図示せぬ入金口シャッタがこの取り外し動作に連動して閉じられることになる。この状態から図示せぬキーのキー操作によって図示せぬ扉を開くことにより中に収納された紙幣が取り出し可能となる。
【００３３】
さらに、紙幣入出金装置１２は、紙幣搬送路３１，３５，３６，４３，４５，５０〜５２，５５，５８に設けられて、搬送される紙幣の状態やタイミングを確認するための複数のセンサ６１〜７３を有している。
【００３４】
センサ６１は、入金紙幣搬送路３１における入金紙幣繰出部３０と紙幣識別部３２との間にあって、入金紙幣繰出部３０によって入金紙幣搬送路３１上に一枚ずつ繰り出された紙幣を確認するものであり、センサ６２は、入金紙幣搬送路３１における紙幣識別部３２の位置にあって紙幣識別部３２を通過する紙幣を確認するものであって、センサ６３は、リジェクト紙幣搬送路３５における振分部３４の直後位置にあって振分部３４でリジェクト紙幣搬送路３５に振り分けられた紙幣を確認するものである。
【００３５】
また、センサ６４はスタッカ３８の受入口３８ａの直前位置の分岐紙幣搬送路４３にあって振分部４２で振り分けられてスタッカ３８に入金される紙幣を確認するものであり、センサ６５はスタッカ３９の受入口３９ａの直前位置の分岐紙幣搬送路４５にあって振分部４４で振り分けられてスタッカ３９に入金される紙幣を確認するものであって、センサ６６はスタッカ４０の受入口４０ａの直前位置の入金紙幣搬送路３１にあってスタッカ４０に入金される紙幣を確認するものである。
【００３６】
さらに、センサ６７はスタッカ３８の繰出口３８ｃの直後位置の繰出紙幣搬送路５０にあってスタッカ３８から繰り出された紙幣を確認するものであり、センサ６８はスタッカ３９の繰出口３９ｃの直後位置の繰出紙幣搬送路５１にあってスタッカ３９から繰り出された紙幣を確認するものであり、センサ６９はスタッカ４０の繰出口４０ｃの直後位置の繰出紙幣搬送路５２にあってスタッカ４０から繰り出された紙幣を確認するものである。
【００３７】
加えて、センサ７０は出金紙幣搬送路３６の繰出紙幣搬送路５０〜５２よりも下流側にあってすべてのスタッカ３８〜４０から繰り出された紙幣を確認するものであり、センサ７１は紙幣回収庫２４の直前位置の分岐紙幣搬送路５５にあって振分部５４で振り分けられて紙幣回収庫２４に導入される紙幣を確認するものであって、センサ７２は紙幣リジェクト庫５９の直前位置の分岐紙幣搬送路５８にあって振分部５７で振り分けられて紙幣リジェクト庫５９に導入される紙幣を確認するものである。さらに、センサ７３は、出金紙幣搬送路３６の紙幣出金口２３と振分部５７との間にあって紙幣出金口２３に繰り出される紙幣を確認するものである。
【００３８】
センサ６１〜７３は、光学式センサであって、配置された場所における紙幣の残留検知のみならず、タイミングを計ったり、搬送の状況（重送、斜行等）を見たり、計数を行ったりと、複数の機能を有する。また、紙幣出金口２３には、紙幣出金口２３に残存する紙幣を検出するセンサ２３ａが設けられており、紙幣入金口２２にも、紙幣入金口２２に残存する紙幣を検出するセンサ２２ａが設けられている。さらにスタッカ３８に内部の紙幣を検出するセンサ３８ｄが、スタッカ３９に内部の紙幣を検出するセンサ３９ｄが、スタッカ４０に内部の紙幣を検出するセンサ４０ｄがそれぞれ設けられている。
【００３９】
貨幣入出金機１０の制御部（制御手段）７５は、硬貨入出金装置１１と紙幣入出金装置１２とを制御するもので、図３に示すように、制御プログラムが記憶されたＲＯＭ（記憶手段）７６と、紙幣識別部３２の識別に基づく金種別の紙幣枚数等を記憶するＲＡＭ７７と、入金紙幣繰出部３０と、入金紙幣搬送路３１および分岐紙幣搬送路４３，４５を駆動する入金紙幣搬送駆動部７８と、各スタッカ３８〜４０の出金紙幣繰出部３８ｂ，３９ｂ，４０ｂと、出金紙幣搬送路３６および繰出紙幣搬送路５０〜５２を駆動する出金紙幣搬送駆動部７９と、リジェクト紙幣搬送路３５を駆動するリジェクト紙幣搬送駆動部８０と、紙幣識別部３２と、振分部３４，４２，４４，５４，５７と、センサ６１〜７３，２２ａ，２３ａ，３８ｄ，３９ｄ，４０ｄと、操作部１６と、案内表示部１７とが通信可能に接続されている。
【００４０】
制御部７５は、紙幣入出金装置１２を還流運用モードおよび非還流運用モードの二つのモードで運用することが可能であり、そのため、ＲＯＭ７６には、紙幣入出金装置１２を還流運用モードで作動させるための還流運用モード用の制御プログラムと、紙幣入出金装置１２を非還流運用モードで作動させるための非還流運用モード用の制御プログラムとが記憶されている。
【００４１】
例えば、還流運用モードが選択された状態では、還流運用モード用の制御プログラムがＲＯＭ７６から制御部７５に読み出されており、制御部７５はこの制御プログラムに基づいて紙幣入出金装置１２を制御する。
【００４２】
この還流運用モードでは、三つのスタッカ３８〜４０はすべて金種別とされ、例えば、万円券がスタッカ３８に、千円券がスタッカ３９に、五千円券がスタッカ４０にそれぞれ収納されるようになっている。なお、スタッカ３８〜４０の金種設定はこれに限らず変更可能である。
【００４３】
還流運用モードでの運用時に、紙幣入金口２２に紙幣が投入された状態で操作部１６に入金操作が入力されると、制御部７５は、入金動作を開始させる。つまり、図４に太線で示すように、紙幣入金口２２の紙幣を入金紙幣繰出部３０で一枚ずつ分離して入金紙幣搬送路３１に繰り出し、紙幣識別部３２で識別する。そして、紙幣識別部３２の識別結果に基づき、偽券、損券および判別不能とされた紙幣は、振分部３４にて入金紙幣搬送路３１からリジェクト紙幣搬送路３５に振り分けられ、さらに振分部５４および振分部５７にて出金紙幣搬送路３６を介して紙幣出金口２３に繰り出されることで、機外にリジェクトされる。
【００４４】
他方、紙幣識別部３２の識別結果に基づき、振分部３４は、真券かつ正券とされた紙幣をそのまま入金紙幣搬送路３１の下流側に導き、スタッカ３８〜４０のうちの金種に応じたいずれかに上部から収納させる。つまり、万円券であれば、振分部４２で振り分けられて分岐紙幣搬送路４３からスタッカ３８に案内され、千円券であれば、振分部４２および振分部４４で振り分けられて分岐紙幣搬送路４５からスタッカ３９に案内され、五千円券であれば、振分部４２および振分部４４で振り分けられて入金紙幣搬送路３１を介してスタッカ４０に案内される。なお、制御部７５は、各スタッカ３８〜４０に収納された紙幣の数を把握しておりこの紙幣数から割り出されるスタッカ３８〜４０に収納しきれないオーバーフロー紙幣と、取り扱い数が最少の二千円券とについては、振分部３４にて入金紙幣搬送路３１からリジェクト紙幣搬送路３５に振り分けられ、出金紙幣搬送路３６を介してさらに振分部５４にて分岐紙幣搬送路５５に振り分けられて、紙幣回収庫２４に収納される。
【００４５】
ここで、制御部７５は、紙幣識別部３２の識別結果つまり金種毎の計数値をＲＡＭ７７に一時的に記憶させており、紙幣入金口２２に投入されたすべての紙幣がスタッカ３８〜４０、紙幣出金口２３および紙幣回収庫２４のいずれかに案内されると、案内表示部１７に紙幣識別部３２の計数結果を表示させるとともに、その後の処理を促す表示を行う。すなわち、追加入金をするか、入金取消をするか、入金確定をするかを問う。
【００４６】
追加入金のために、紙幣入金口２２に紙幣が投入されて操作部１６に追加入金操作が入力されると、制御部７５は、上記と同様にして、入金紙幣繰出部３０で紙幣を入金紙幣搬送路３１に繰り出し、紙幣識別部３２で識別して、紙幣識別部３２の識別結果に基づき、紙幣出金口２３、スタッカ３８〜４０および紙幣回収庫２４のいずれかに導き、案内表示部１７に紙幣識別部３２の計数結果を表示させて、その後の処理を促す表示を行う。
【００４７】
操作者が入金確定操作を操作部１６に入力すると、制御部７５は、入金を確定し、入金動作を終了する。ただし、この還流運用モードでは制御部７５の処理上において入金が確定するのみで、紙幣の移動はない。
【００４８】
操作者が追加入金操作および入金確定操作ではなく入金取消操作を操作部１６に入力すると、制御部７５は、返却動作を行わせる。つまり、図５に太線で示すように、入金された金額と同金額の入金された紙幣とは別の紙幣をスタッカ３８〜４０から出金紙幣繰出部３８ｂ，３９ｂ，４０ｂによって出金紙幣搬送路３６に繰り出させ、振分部５４および振分部５７で振り分けて紙幣出金口２３に繰り出させる。その後、紙幣出金口２３から紙幣が取り除かれたことがセンサ２３ａで検出されると制御部７５は入金動作を終了する。なお、返却動作中にセンサ６７〜７０で多重搬送等の搬送不良紙幣が検出されると、搬送不良紙幣を振分部５７で分岐紙幣搬送路５８側に振り分けて紙幣リジェクト庫５９に収納させる。
【００４９】
還流運用モードでの運用時に、操作部１６に出金操作が入力されると、制御部７５は、出金動作を行わせる。すなわち、図５に太線で示すように、操作部１６に入力された金額の紙幣をスタッカ３８〜４０からセンサ６７〜６９で計数しつつ出金紙幣繰出部３８ｂ，３９ｂ，４０ｂによって出金紙幣搬送路３６に繰り出させ、振分部５４および振分部５７で振り分けて紙幣出金口２３に繰り出させる。その後、紙幣出金口２３から紙幣が取り除かれたことがセンサ２３ａで検出されると制御部７５は出金動作を終了する。なお、出金動作中にセンサ６７〜７０で多重搬送等の搬送不良紙幣が検出されると、この搬送不良紙幣を振分部５７で振り分けて紙幣リジェクト庫５９に収納させる。
【００５０】
還流運用モードでの運用時に、紙幣入金口２２に補充紙幣が投入されて操作部１６に補充操作が入力されると、制御部７５は、補充動作を行わせる。すなわち、図４に太線で示すように、上記した入金動作と同様にして紙幣入金口２２からスタッカ３８〜４０に紙幣を補充する。
【００５１】
還流運用モードでの運用時に、操作部１６に回収指示操作が入力されると、制御部７５は、回収動作を行わせる。すなわち、図６に太線で示すように、すべてのスタッカ３８〜４０において出金紙幣繰出部３８ｂ，３９ｂ，４０ｂによって全紙幣を出金紙幣搬送路３６に繰り出させ、振分部５４で振り分けて紙幣回収庫２４に案内する。スタッカ３８〜４０内のすべての紙幣が紙幣回収庫２４に収納されたことが検出されると制御部７５は回収動作を終了する。その後、操作者は紙幣回収庫２４を取り外して紙幣を取り出す。なお、回収動作においてすべての紙幣を紙幣出金口２３に繰り出すようにしても良い。この場合、各金種別に回収することができる。また、いずれの回収動作においても、回収動作中にセンサ６７〜７０で多重搬送等の搬送不良紙幣が検出されると、この搬送不良紙幣を振分部５７で振り分けて紙幣リジェクト庫５９に収納させる。
【００５２】
上記した還流運用モードが選択された状態から操作者によって操作部１６に非還流運用モードを選択する操作が入力されると、制御部７５は、非還流運用モード用の制御プログラムをＲＯＭ７６から読み出す。制御部７５はこの非還流運用モード用の制御プログラムに基づいて紙幣入出金装置１２を制御する。
【００５３】
この非還流運用モードでは、三つのスタッカ３８〜４０のうちの一つは一時貯留部とされ、残り二つが金種別とされる。例えば、スタッカ３８が一時貯留部とされる一方、還流運用モードと同様、千円券がスタッカ３９に、五千円券がスタッカ４０にそれぞれ収納されるようになっている。なお、スタッカ３８〜４０に対する一時貯留部の設定および金種設定はこれに限られず変更可能であり、スタッカ３９を一時貯留部としたり、スタッカ４０を一時貯留部としたりすることも可能である。
【００５４】
非還流運用モードでの運用時に、紙幣入金口２２に紙幣が投入された状態で操作部１６に入金操作が入力されると、制御部７５は、入金動作を開始させる。すなわち、図７に太線で示すように、入金紙幣繰出部３０で紙幣入金口２２の紙幣を一枚ずつ分離して入金紙幣搬送路３１に繰り出し、紙幣識別部３２で識別する。そして、紙幣識別部３２の識別結果に基づき、偽券、損券および判別不能とされた紙幣は、振分部３４にて入金紙幣搬送路３１からリジェクト紙幣搬送路３５に振り分けられ、さらに振分部５４および振分部５７にて出金紙幣搬送路３６を介して紙幣出金口２３に繰り出される。
【００５５】
他方、紙幣識別部３２の識別結果に基づき、振分部３４は、真券かつ正券とされた紙幣をすべてそのまま入金紙幣搬送路３１の下流側に導き、振分部４２が、最も上流側の一時貯留部に設定されたスタッカ３８に上部から導入し一時貯留させる。
【００５６】
ここで、制御部７５は、紙幣識別部３２の識別結果つまり金種毎の計数値をＲＡＭ７７に一時的に記憶させており、紙幣入金口２２に投入されたすべての紙幣がスタッカ３８および紙幣出金口２３のいずれかに案内されると、案内表示部１７に紙幣識別部３２の計数結果を表示させるとともに、その後の処理を促す表示を行う。すなわち、追加入金をするか、入金取消をするか、入金確定をするかを問う。
【００５７】
追加入金のために、紙幣入金口２２に紙幣が投入されて操作部１６に追加入金操作が入力されると、制御部７５は、上記と同様にして、入金紙幣繰出部３０で紙幣を入金紙幣搬送路３１に繰り出し、紙幣識別部３２で識別して、紙幣識別部３２の識別結果に基づき、紙幣出金口２３およびスタッカ３８のいずれかに導き、案内表示部１７に紙幣識別部３２の計数結果を表示させて、その後の処理を促す表示を行う。
【００５８】
操作者が入金確定操作を操作部１６に入力すると、制御部７５は、入金を確定し、続いて、図８に太線で示すように、スタッカ３８に一時貯留させていた紙幣を出金紙幣繰出部３８ｂで出金紙幣搬送路３６に繰り出させ、振分部５４で振り分けて紙幣回収庫２４に収納させる収納動作を行う。そして、スタッカ３８にあったすべての一時貯留紙幣が紙幣回収庫２４に収納されると制御部７５は収納動作を含む入金動作を終了する。つまり、スタッカ３８に一時貯留させた紙幣を他のスタッカ３９，４０に金種別に振り分けて収納することは構造上不可能であることから、入金確定後の紙幣は一括して紙幣回収庫２４に収納させることになる。これにより、入金した紙幣を出金用に使用する還流式ではない非還流式となる。なお、出金用の識別部が設けられていないため、制御部７５は、上記のように入金確定前にＲＡＭ７７に記憶した計数データを入金確定後一括して紙幣入出金装置１２内の在高合計データに加算することになる。
【００５９】
操作者が追加入金操作および入金確定操作ではなく入金取消操作を操作部１６に入力すると、制御部７５は、図９に太線で示すように、スタッカ３８に一時貯留されていた紙幣をすべてスタッカ３８から出金紙幣繰出部３８ｂで出金紙幣搬送路３６に繰り出させ、振分部５４および振分部５７で振り分けて紙幣出金口２３に繰り出させることで返却する返却動作を行う。そして、紙幣出金口２３から紙幣が取り除かれたことがセンサ２３ａで検出されると制御部７５は返却動作を含む入金動作を終了する。これにより、紙幣入金口２２に入金された紙幣そのものが紙幣出金口２３から繰り出されることになる。このとき、制御部７５は、入金取消操作前にＲＡＭ７７に記憶した計数データを入金取消操作時に一括して消去することになる。
【００６０】
ここで、非還流運用モードにおいて入金確定の収納動作時に、搬送途中でジャム等の搬送異常が発生しスタッカ３８の下部の繰出口３８ｃから紙幣回収庫２４までに設けられたセンサ６７，７０，７１のいずれかで紙幣の滞留等のジャムが検出された場合に、制御部７５は、紙幣搬送路３１，３５，３６，４３，４５，５０〜５２，５５，５８の駆動を停止させ、案内表示部１７に、操作者にジャム紙幣を取り除く旨の指示を出す。
【００６１】
つまり、ジャムが発生している場所を案内表示部１７に位置表示する等して操作者にその位置を知らせ、操作者がジャムの発生場所を容易に発見できるようにする。すると、操作者は、その案内にしたがってジャム発生場所の機体ユニットを引き出し、紙幣搬送路３１，３５，３６，４３，４５，５０〜５２，５５，５８毎に開放可能に形成されている図示略の上下のベルト搬送部を部分的に開放することで、ジャム紙幣および搬送路上の残留紙幣を直接取り除くことになる。このとき、取り除いた紙幣は、上記のように入金確定済みで装置側管理下にあるため、操作者はスタッカ３８内に戻すことになる。その後、操作者が収納動作再開のための操作部１６への再開操作（操作部１６のリセットスイッチの押下等）を行うと、制御部７５は紙幣搬送路３１，３５，３６，４３，４５，５０〜５２，５５，５８を駆動させ、スタッカ３８内の紙幣を紙幣回収庫２４へと搬送する。
【００６２】
なお、入金取消操作により実行される返却動作中にジャムが発生した場合も上記と同様のジャム処理を行うことになるが、この場合は、すべての紙幣が未確定の操作者側管理下にあるため、取り除いた紙幣は再度スタッカ３８に戻す必要はなく、操作者管理の下に保管し、収納動作再開のための指示を経て、出金口２３に繰り出された他の紙幣と合わせることになる。
【００６３】
以上のように、複数あるスタッカ３８〜４０のうちの一つのスタッカ３８を一時貯留部として使用することで、入金確定動作の前後で紙幣の所在および管理が明確になり、より厳密な運用が可能になる。
【００６４】
非還流運用モードでの運用時に、操作部１６に出金操作が入力されると、制御部７５は、出金動作を開始させる。すなわち、図１０に太線で示すように、操作部１６に入力された金額の紙幣をスタッカ３９，４０の出金紙幣繰出部３９ｂ，４０ｂでセンサ６８，６９により計数しつつ出金紙幣搬送路３６に繰り出させ、振分部５４および振分部５７で振り分けて紙幣出金口２３に繰り出させる。その後、紙幣出金口２３から紙幣が取り除かれたことがセンサ２３ａで検出されると制御部７５は出金動作を終了する。この場合は、二金種の紙幣（千円券および五千円券）のみが出金用として繰り出されることになる。なお、センサ６８，６９，７０で多重搬送等の搬送不良紙幣が検出されると、これを振分部５７で振り分けて紙幣リジェクト庫５９に収納させる。
【００６５】
非還流運用モードでの運用時に、紙幣入金口２２に補充紙幣が投入されて操作部１６に補充操作が入力されると、制御部７５は、補充動作を開始させる。すなわち、図１１に太線で示すように、紙幣入金口２２の紙幣を入金紙幣繰出部３０で一枚ずつ分離して入金紙幣搬送路３１に繰り出し、紙幣識別部３２で識別する。そして、紙幣識別部３２の識別結果に基づき、偽券、損券および判別不能とされた紙幣は、振分部３４にて入金紙幣搬送路３１からリジェクト紙幣搬送路３５に振り分けられ、さらに振分部５４および振分部５７にて出金紙幣搬送路３６を介して紙幣出金口２３に繰り出される。他方、紙幣識別部３２の識別結果に基づき、振分部３４は、真券かつ正券とされた紙幣をそのまま入金紙幣搬送路３１の下流側に導き、金種に応じたスタッカ３９，４０に上部から収納させる。つまり、千円券であれば、振分部４２および振分部４４で振り分けて入金紙幣搬送路３１および分岐紙幣搬送路４５を介してスタッカ３９に案内し、五千円券であれば、振分部４２および振分部４４で振り分けて入金紙幣搬送路３１を介してスタッカ４０に案内する。なお、オーバーフロー紙幣および補充の必要がない万円券および二千円券が混入していた場合については、例えば、すべてリジェクト紙幣搬送路３５および出金紙幣搬送路３６を介して紙幣出金口２３に返却する。紙幣入金口２２のすべての紙幣がスタッカ３９，４０および紙幣出金口２３のいずれかに案内され、操作者が補充確定操作を操作部１６に入力すると、補充動作での計数データを補充確定後一括して紙幣入出金装置１２内の在高合計データに加算する。
【００６６】
非還流運用モードでの運用時に、操作部１６に回収指示操作が入力されると、制御部７５は、回収動作を開始させる。すなわち、図１２に太線で示すように、一時貯留部を構成するスタッカ３８を除くスタッカ３９，４０において全紙幣を出金紙幣繰出部３９ｂ，４０ｂで出金紙幣搬送路３６に繰り出させ、振分部５４で振り分けて紙幣回収庫２４に収納させる。スタッカ３９，４０内にあったすべての紙幣が紙幣回収庫２４に収納されたことが検出されると制御部７５は回収動作を終了する。その後、操作者は紙幣回収庫２４を取り外して紙幣を取り出す。なお、回収動作においてすべての紙幣を紙幣出金口２３に繰り出すようにしても良い。この場合、各金種別に回収することができる。また、いずれの回収動作においても、センサ６８〜７０で多重搬送等の搬送不良紙幣が検出されると、これを振分部５７で振り分けて紙幣リジェクト庫５９に収納させる。
【００６７】
なお、還流運用モードおよび非還流運用モードのいずれにおいても、紙幣入金口２２に紙幣が投入された状態で操作部１６に整理計数操作が入力されると、制御部７５は、整理計数動作を開始させる。すなわち、図１３に太線で示すように、入金紙幣繰出部３０で紙幣入金口２２の紙幣を一枚ずつ分離して入金紙幣搬送路３１に繰り出し、振分部３４で振り分けてリジェクト搬送路３５に搬送するとともに、紙幣識別部３２の識別結果に基づき、指定金種が無い場合には、偽券、損券および判別不能とされた紙幣を振分部５４および振分部５７で振り分けて出金紙幣搬送路３６を介して紙幣出金口２３に繰り出させ、また、真券かつ正券とされた紙幣をすべて振分部５４で振り分けて紙幣回収庫２４に収納させる。
【００６８】
他方、指定金種がある場合には、操作部１６にて金種指定を行った指定金種の真券かつ正券とされた紙幣を振分部５４で振り分けて紙幣回収庫２４に収納させ、それ以外の紙幣をすべて振分部５４および振分部５７で振り分けて出金紙幣搬送路３６を介して紙幣出金口２３に繰り出させる。そして、案内表示部１７に紙幣識別部３２の計数結果を表示させる。
【００６９】
ここで、還流運用モードから非還流運用モードへの切り換え、および非還流運用モードから還流運用モードへの切り換えは、操作部１６への所定の切換操作でそれぞれの制御プログラムがＲＯＭ７６から読み出されることで行われる。つまり、制御部７５がＲＯＭ７６から還流運用モード用の制御プログラムを読み出すことで還流運用モードが実行可能となり、制御部７５がＲＯＭ７６から非還流運用モード用の制御プログラムを読み出すことで非還流運用モードが実行可能となる。なお、モードの切り換えは、操作部１６への所定の操作入力ではなく、別体のキーを有する切換装置を設けて、この切換装置のキー操作により行うようにしても良い。
【００７０】
還流運用モードから非還流運用モードへの切り換え時には、金種別収納部として使用されていたスタッカ３８を一時貯留部として使用することになるため、このスタッカ３８を空にしなければならない。このため、操作者が操作部１６へ還流運用モードから非還流運用モードへ切り換えるための所定の切換操作を行うと、制御部７５は、ＲＯＭ７６からスタッカ３８を一時貯留部として使用する非還流運用モード用の制御プログラムを読み出し、同時に、ＲＡＭ７７に記憶された計数データおよびスタッカ３８に設けられたセンサ３８ｄによって一時貯留部に設定されるスタッカ３８内に紙幣があるか否かの確認を行う。そして、このスタッカ３８内に紙幣が存在する場合に、制御部７５は、図８に太線で示すように、一時貯留部に設定されたスタッカ３８の紙幣を自動的に紙幣回収庫２４に収納させる。つまり、非還流運用モードにおける入金確定後の収納動作と同様に、スタッカ３８内の紙幣をすべて出金紙幣繰出部３８ｂで出金紙幣搬送路３６に繰り出させ、振分部５４で振り分けて紙幣回収庫２４に収納させる。そして、スタッカ３８内の全ての紙幣が紙幣回収庫２４内に移動してスタッカ３８内が空になると、非還流運用モードでの運用を開始させる。勿論、上記確認でスタッカ３８内に紙幣がない場合、そのまま非還流運用モードでの運用を開始させることになる。すなわち、入金、出金、補充、回収等、操作者による操作部１６への次の入力が行われるまで待機する。以上により、還流運用モードおよび非還流運用モードの両方の運用が問題なく可能となる。
【００７１】
他方、操作者が操作部へ非還流運用モードから還流運用モードへ切り換えるための所定の切換操作を行うと、制御部７５は、ＲＯＭ７６からスタッカ３８を金種別収納部として使用する還流運用モード用の制御プログラムを読み出す。この場合は、前段の作業で、一時貯留部としてのスタッカ３８に紙幣が残ったまま次の作業に移ることはなく、しかもモードの切り換えは全ての動作が終了している場合にのみ可能であることから、それまでの処理においてスタッカ３８内に一時貯留された紙幣がそのまま留まっていることはない。このため、スタッカ３８の紙幣を紙幣回収庫２４へ移動させる処理は必要ない。そして、そのまま還流運用モードでの運用を開始させることになる。すなわち、入金、出金、補充、回収等、操作者による操作部１６への次の入力が行われるまで待機する。
【００７２】
なお、スタッカ３８に収納する紙幣の金種は任意に設定可能であり、スタッカ３９を千円券に設定し、スタッカ４０を五千円券に設定していることから、スタッカ３８には上記のように万円券を設定するか、あるいは二千円券を設定することが可能である。
【００７３】
また、過去の設定状況を記憶しておき、非還流運用モードから還流運用モードへ切り換え時に前回の還流運用モードでの設定金種を自動的に設定することも可能である。さらには、これを修正可能としても良い。つまり、非還流運用モードから還流運用モードに切り換えられた時に、非還流運用モードで一時貯留部に設定されていたスタッカ３８を、操作部１６において複数金種の中から選択入力された金種の金種別収納部に設定可能としても良い。このように構成すれば、複数のスタッカ３８〜４０に、すべて異なる金種の貨幣を収納させたり、同じ金種の貨幣をスタッカ３８〜４０のうちの複数に収納させたりすることが可能となる。つまり、多金種化、大容量化等、ユーザーの要望に応じて最適な環境に設定することができる。
【００７４】
なお、新たに還流式の金種別収納部となったスタッカ３８に対しては、還流運用モードの動作開始に当たって、紙幣を補充させるようにしても良いが、釣銭としての出金のみを行う場合、万円券を出金させることがないので補充しなくても良い。
【００７５】
以上に述べた貨幣入出金機１０の紙幣入出金装置１２によれば、複数の入出金可能なスタッカ３８〜４０をすべて金種別収納部として使用し、紙幣入金口２２に投入され紙幣識別部３２で識別および計数された紙幣を金種別に選別して、一時貯留させることなく金種別収納部である各スタッカ３８〜４０に収納する還流運用モードでの運用を選択することで、一時貯留部が不要な構成にでき、小型化、簡素化および低コスト化が図られた還流式の機械となる。そして、必要に応じて、複数の入出金可能なスタッカ３８〜４０のうちのいずれか一つであるスタッカ３８を一時貯留部として使用し、紙幣入金口２２に投入され紙幣識別部３２で識別および計数された紙幣を金種混合状態で一時貯留部であるスタッカ３８に一時貯留させ、この一時貯留部であるスタッカ３８に一時貯留された紙幣を、操作部１６への入金確定操作後にスタッカ３９，４０には収納せずに紙幣回収庫２４に収納する一方、操作部１６への返却操作後に紙幣出金口２３に返却する非還流運用モードを選択することで、操作者側管理の貨幣と機械側管理の貨幣との区別を明確する運用が可能となる。
【００７６】
また、ＲＯＭ７６から還流運用モード用の制御プログラムを読み出すことで還流運用モードが実行可能とされ、ＲＯＭ７６から非還流運用モード用の制御プログラムを読み出すことで非還流運用モードが実行可能とされるため、ＲＯＭ７６の制御プログラムの切り換えのみで、還流運用モードでの運用および非還流運用モードでの運用が切り換え可能となる。したがって、スタッカや搬送路等のハードについては切り換えが不要であり、還流運用モードでの運用および非還流運用モードでの運用が容易に切り換え可能となる。
【００７７】
さらに、還流運用モードから非還流運用モードに切り換えられた時に、一時貯留部に設定されたスタッカ３８の紙幣を自動的に紙幣回収庫２４に収納させることになるため、一時貯留部に設定されたスタッカ３８に還流運用モードでの紙幣が残存した状態でこれに非還流運用モードでの一時貯留紙幣が混ざってしまうことがなくなる。
【００７８】
なお、還流運用モード用の制御プログラムと非還流運用モード用の制御プログラムとが記憶されたＲＯＭ７６からモード切り換え時に制御部７５が対応するモード用の制御プログラムを読み出すのではなく、還流運用モード用の制御プログラムが記憶されたＲＯＭと非還流運用モード用の制御プログラムが記憶されたＲＯＭとを用意し、モード切り換え時に対応するモード用のＲＯＭに交換するようにしても良い。この場合、ＲＯＭを交換する際に、全ての動作を終了させ、紙幣入出金装置１２内の紙幣をすべて回収し紙幣入出金装置１２内の紙幣を空にしてから行うことになる。
【００７９】
次に、硬貨入出金装置１１について主に図１４〜図２６を参照して説明する。
【００８０】
硬貨入出金装置１１は、図１５に示すように、硬貨入金口１５に投入された硬貨を側方具体的には左方に搬送する第１搬送部１０１と、この第１搬送部１０１の下流側具体的には左側に接続され、この第１搬送部１０１から硬貨を受け取り水平方向において鋭角に折り返しつつ後方に搬送する第２搬送部１０２とを有する入金硬貨搬送部（貨幣搬送手段）１０３を備えている。
【００８１】
硬貨入金口１５は、バラ硬貨が外から投入されるとともに投入された硬貨を下方に案内する筒状のホッパ部１０５と、硬貨入金口１５の底部を形成するようにホッパ部１０５の下方に設けられこの位置から側方具体的には左方に延出して正転時にこの延出方向に硬貨を搬送する無端のベルトコンベア１０６と、ベルトコンベア１０６の上側に配置され、正転時に、正転するベルトコンベア１０６の搬送方向とは逆方向に対向部分を移動させる図示せぬ分離ローラと、ベルトコンベア１０６および分離ローラを正逆駆動する共通の駆動源である図１７に示す入金硬貨繰出駆動部１０７とを有している。そして、硬貨入金口１５は、ホッパ部１０５を介して投入されたバラ硬貨を入金硬貨繰出駆動部１０７の駆動力で正転するベルトコンベア１０６によりその延在方向に送り途中位置に設けられた正転する図示せぬ分離ローラで一枚ずつに分離してさらに下流側に繰り出す。
【００８２】
硬貨入金口１５にはベルトコンベア１０６上の残留硬貨を検出する図１７に示すセンサ１０８が設けられている。
【００８３】
硬貨入金口１５のベルトコンベア１０６は、硬貨入金口１５を構成する一方で、この硬貨入金口１５に投入された硬貨を搬送する上記した第１搬送部１０１をも構成している。ベルトコンベア１０６で構成される第１搬送部１０１の終点部には、ベルトコンベア１０６から硬貨を受け取って機体後方に搬送する第２搬送部１０２の搬送路１１１の上流側部分つまり始点部が互いに鋭角をなすように接続されている。
【００８４】
第２搬送部１０２は、第１搬送部１０１のベルトコンベア１０６から搬送路１１１上に移送された硬貨を搬送路１１１に上側から押し付けながら両側の壁部１１３，１１４で案内しつつ搬送路１１１に沿って搬送する複数の移送ベルト１１５，１１６と、これら移送ベルト１１５，１１６を駆動する図１７に示す入金硬貨搬送駆動部１１７とを有している。
【００８５】
移送ベルト１１５，１１６は、直線状に延在する搬送路１１１に対し若干傾斜する直線状に設けられており、硬貨を幅寄せするように左側の壁部１１３に押し付けながら搬送するようになっている。
【００８６】
搬送路１１１には、その上流側に、通過する硬貨の磁気的性質や画像あるいは外径等を検出することでその真偽および金種の識別および金種別の計数を行う硬貨識別部（識別部）１２０が設けられ、この硬貨識別部１２０の下流側には硬貨識別部１２０の識別結果に基づいて硬貨を搬送路１１１から排除可能な開閉リジェクト部１２１が設けられている。この開閉リジェクト部１２１は、搬送路１１１に形成されたリジェクト孔１２３およびこれを開閉させるシャッタ１２４を有している。
【００８７】
また、搬送路１１１には、この開閉リジェクト部１２１の下流側に、硬貨を搬送路１１１から落下可能な開閉選別部１３０が設けられている。この開閉選別部１３０は、搬送路１１１に形成された全金種の硬貨を落下可能な選別孔１３１およびこれを開閉させるシャッタ１３２を有している。
【００８８】
さらに、搬送路１１１には、この開閉選別部１３０の下流側に選別孔１３３〜１３７が形成されている。これら選別孔１３３〜１３７は硬貨を外径で選別する。つまり、基準面となる左側の壁部１１３で案内されて移動する硬貨を外径の小さい順に選別するように、硬貨の搬送方向に沿って上流側から下流側に、１円硬貨用の選別孔１３３、５０円硬貨用の選別孔１３４、５円硬貨用の選別孔１３５、１００円硬貨用の選別孔１３６、１０円硬貨用の選別孔１３７がこの順番に形成されている。
【００８９】
開閉リジェクト部１２１、開閉選別部１３０および各選別孔１３３〜１３７のそれぞれの上流側の直前位置には各部で落下した硬貨の数を計数するための入金計数センサ１３８が設けられている。
【００９０】
開閉選別部１３０および各金種別の選別孔１３３〜１３７の直下には、それぞれ図１４に示すシュート１３９が設けられており、その下側には図１６に示すようにそれぞれが前後方向に沿う状態で左右方向に並べられた複数具体的には６カ所の硬貨出金収納部（第１収納部）１４０〜１４５が設けられている。そして、最も前側の開閉選別部１３０の選別孔１３１から落下された硬貨は最も左側の硬貨出金収納部１４０に収納される。前から二番目の１円硬貨用の選別孔１３３で落下された１円硬貨は左側から二番目の硬貨出金収納部１４１に収納され、前から三番目の５０円硬貨用の選別孔１３４で落下された５０円硬貨は左側から三番目の硬貨出金収納部１４２に収納され、前から四番目の５円硬貨用の選別孔１３５で落下された５円硬貨は左側から四番目の硬貨出金収納部１４３に収納され、前から五番目の１００円硬貨用の選別孔１３６で落下された１００円硬貨は左側から五番目の１００円硬貨用の硬貨出金収納部１４４に収納され、最も後側の１０円硬貨用の選別孔１３７で落下された１０円硬貨は最も右側の硬貨出金収納部１４５に収納される。なお、開閉リジェクト部１２１で落下された硬貨は図１４に示すリジェクトシュート１４６で前側の硬貨リジェクト口１９に案内される。
【００９１】
各硬貨出金収納部１４０〜１４５は、それぞれの底部を形成するように前後方向に延在する状態で左右方向に並設されて正転時に硬貨出金口１８側に硬貨を搬送する無端のベルトコンベア１４７と、正転時に正転するベルトコンベア１４７の搬送方向とは逆方向に対向部分を移動させるように回転する分離ローラ１４８と、ベルトコンベア１４７および分離ローラ１４８を正逆駆動する共通の駆動源である図１７に示す出金硬貨搬送駆動部１４９とを有している。
【００９２】
ここで、ベルトコンベア１４７は、下流側が上側に位置するように傾斜しており、その上部側所定位置に上記した分離ローラ１４８が配置されている。
【００９３】
そして、硬貨出金収納部１４０〜１４５は、出金硬貨搬送駆動部１４９の駆動力によりすべてのベルトコンベア１４７を一度に正転させることでバラ硬貨を硬貨出金口１８側に搬送することになり、このとき出金硬貨搬送駆動部１４９の駆動力で共通の分離ローラ１４８を正転させることで、硬貨出金口１８側に搬送されるバラ硬貨を一枚ずつに分離する。
【００９４】
各硬貨出金収納部１４０〜１４５は、それぞれ、分離ローラ１４８よりも下流側でベルトコンベア１４７に向けて上から図示せぬピンを進退させることで硬貨の繰り出しを規制および許容するソレノイド１５１と、ソレノイド１５１の駆動でベルトコンベア１４７から硬貨出金口１８に出金される硬貨を計数する図１７に示す出金計数センサ１５２と、内部の残留硬貨を検出するセンサ１５３とを有している。
【００９５】
硬貨出金収納部１４０〜１４５と硬貨出金口１８との間には、硬貨出金収納部１４０〜１４５から繰り出された硬貨を案内するシュート１５４が設けられており、このシュート１５４には、振分部材１５５をソレノイド等の電気的駆動で揺動させることで、硬貨を硬貨回収庫２０に案内する状態と硬貨出金口１８に案内する状態とに切り換える振分部１５６が設けられている。ここで、硬貨回収庫２０は、硬貨入出金装置１１内で入金のみが可能な金種混合の収納部であり、硬貨入出金装置１１に取り付けられた状態でシュート１５４の硬貨回収庫２０側の端部に図示せぬ上部の入金口シャッタが開いて接続され、硬貨出金収納部１４０〜１４５から繰り出された硬貨がシュートを介して投入される。また、硬貨回収庫２０は、硬貨入出金装置１１から取り外されると、この取り外し動作に連動して図示せぬ入金口シャッタが閉じられる。この状態から図示せぬキーのキー操作によって図示せぬ扉を開くことにより中に収納された硬貨が取り出し可能となる。硬貨出金口１８には、硬貨出金口１８内の硬貨を検出する図１７に示すセンサ１５８が設けられている。
【００９６】
硬貨入出金装置１１は紙幣入出金装置１２と共通の制御部７５で制御されることになり、制御部７５には、紙幣入出金装置１２と共通のＲＯＭ７６、ＲＡＭ７７、操作部１６および案内表示部１７と、入金硬貨繰出駆動部１０７、センサ１０８、入金硬貨搬送駆動部１１７、硬貨識別部１２０、開閉リジェクト部１２１、開閉選別部１３０、入金計数センサ１３８、出金硬貨搬送駆動部１４９、ソレノイド１５１、出金計数センサ１５２、センサ１５３、振分部１５６およびセンサ１５８とが通信可能に接続されている。
【００９７】
制御部７５は、硬貨入出金装置１１についても還流運用モードおよび非還流運用モードの二つのモードで運用することが可能であり、そのため、ＲＯＭ７６には、硬貨入出金装置１１を還流運用モードで作動させるための還流運用モード用の制御プログラムと、硬貨入出金装置１１を非還流運用モードで作動させるための非還流運用モード用の制御プログラムとが記憶されている。
【００９８】
例えば、還流運用モードが選択された状態では、還流運用モード用の制御プログラムがＲＯＭ７６から制御部７５に読み出されており、制御部７５はこの制御プログラムに基づいて硬貨入出金装置１１を制御する。
【００９９】
この還流運用モードでは、硬貨出金収納部１４０〜１４５はすべて金種別とされている。つまり、硬貨出金収納部１４０に５００円硬貨が収納され、硬貨出金収納部１４１に１円硬貨が、硬貨出金収納部１４２に５０円硬貨が、硬貨出金収納部１４３に５円硬貨が、硬貨出金収納部１４４に１００円硬貨が、硬貨出金収納部１４５に１０円硬貨が、それぞれ収納されるようになっている。
【０１００】
還流運用モードでの運用時に、硬貨入金口１５に硬貨が投入された状態で操作部１６に入金操作が入力されると、制御部７５は、入金動作を開始させる。つまり、図１８（ａ）および（ｂ）に太線で示すように、硬貨入金口１５の硬貨をベルトコンベア１０６および図示せぬ分離ローラで一枚ずつ分離して入金硬貨搬送部１０３に繰り出し、入金硬貨搬送部１０３で搬送しつつ硬貨識別部１２０で識別する。そして、硬貨識別部１２０の識別結果に基づき、偽硬貨、汚損硬貨および判別不能とされた硬貨は、開閉リジェクト部１２１がリジェクト孔１２３から落下させ硬貨リジェクト口１９に繰り出させることで、機外にリジェクトされる。
【０１０１】
他方、硬貨識別部１２０の識別結果に基づき、真硬貨かつ汚損のない正硬貨とされた硬貨は、閉じられた開閉リジェクト部１２１によってそのまま入金硬貨搬送部１０３の下流側に移動させられる。その結果、真硬貨かつ汚損のない正硬貨とされた硬貨は、開閉選別部１３０および選別孔１３３〜１３７の対応するもので選別されて硬貨出金収納部１４０〜１４５の対応するものに収納される。つまり、５００円硬貨であれば開閉選別部１３０の開作動で硬貨出金収納部１４０に収納され、１円硬貨であれば選別孔１３３で硬貨出金収納部１４１に収納され、５０円硬貨であれば選別孔１３４で硬貨出金収納部１４２に収納され、５円硬貨であれば選別孔１３５で硬貨出金収納部１４３に収納され、１００円硬貨であれば選別孔１３６で硬貨出金収納部１４４に収納され、１０円硬貨であれば選別孔１３７で硬貨出金収納部１４５に収納される。
【０１０２】
ここで、制御部７５は、硬貨識別部１２０の識別結果つまり金種毎の計数値をＲＡＭ７７に一時的に記憶させており、硬貨入金口１５に投入されたすべての硬貨が硬貨出金収納部１４０〜１４５および硬貨リジェクト口１９のいずれかに案内されると、案内表示部１７に硬貨識別部１２０の計数結果を表示させるとともに、その後の処理を促す表示を行う。すなわち、追加入金をするか、入金取消をするか、入金確定をするかを問う。
【０１０３】
追加入金のために、硬貨入金口１５に硬貨が投入されて操作部１６に追加入金操作が入力されると、制御部７５は、上記と同様にして、硬貨を入金硬貨搬送部１０３に繰り出し、硬貨識別部１２０で識別して、硬貨識別部１２０の識別結果に基づき、硬貨出金収納部１４０〜１４５および硬貨リジェクト口１９のいずれかに導き、案内表示部１７に硬貨識別部１２０の計数結果を表示させて、その後の処理を促す表示を行う。
【０１０４】
操作者が入金確定操作を操作部１６に入力すると、制御部７５は、入金を確定し、入金動作を終了する。ただし、この還流運用モードでは制御部７５の処理上において入金が確定するのみで、硬貨の移動はない。
【０１０５】
操作者が追加入金操作および入金確定操作ではなく入金取消操作を操作部１６に入力すると、制御部７５は、返却動作を行わせる。つまり、図１９（ａ）および（ｂ）に太線で示すように、入金された金額の硬貨を硬貨出金収納部１４０〜１４５から出金計数センサ１５２で計数しつつベルトコンベア１４７、分離ローラ１４８およびソレノイド１５１によってシュート１５４に繰り出させ、振分部１５６で硬貨出金口１８に繰り出させる。その後、硬貨出金口１８から硬貨が取り除かれたことがセンサ１５８で検出されると制御部７５は入金動作を終了する。
【０１０６】
還流運用モードでの運用時に、操作部１６に出金操作が入力されると、制御部７５は、出金動作を行わせる。すなわち、図１９（ａ）および（ｂ）に太線で示すように、操作部１６に入力された金額の硬貨を、出金計数センサ１５２で計数しつつ硬貨出金収納部１４０〜１４５からベルトコンベア１４７、分離ローラ１４８およびソレノイド１５１によってシュート１５４に繰り出させ、振分部１５６で硬貨出金口１８に繰り出させる。その後、硬貨出金口１８から硬貨が取り除かれたことがセンサ１５８で検出されると制御部７５は出金動作を終了する。
【０１０７】
還流運用モードでの運用時に、硬貨入金口１５に補充硬貨が投入されて操作部１６に補充操作が入力されると、制御部７５は、補充動作を行わせる。すなわち、図１８（ａ）および（ｂ）に太線で示すように、硬貨入金口１５から上記した入金動作と同様にして硬貨出金収納部１４０〜１４５に硬貨を補充する。
【０１０８】
還流運用モードでの運用時に、操作部１６に回収指示操作が入力されると、制御部７５は、回収動作を行わせる。すなわち、図２０（ａ）および（ｂ）に太線で示すように、すべての硬貨出金収納部１４０〜１４５から、硬貨をベルトコンベア１４７、分離ローラ１４８およびソレノイド１５１によってシュート１５４に繰り出させ、振分部１５６で硬貨回収庫２０に案内する。硬貨出金収納部１４０〜１４５内のすべての硬貨が硬貨回収庫２０に収納されたことが検出されると制御部７５は回収動作を終了する。その後、操作者は硬貨回収庫２０を取り外して硬貨を取り出す。なお、回収動作においてすべての硬貨を硬貨出金口１８に繰り出すようにしても良い。この場合、各金種別に回収することができる。
【０１０９】
上記した還流運用モードが選択された状態から操作者によって操作部１６に非還流運用モードを選択する操作が入力されると、制御部７５は、非還流運用モード用の制御プログラムをＲＯＭ７６から読み出す。制御部７５はこの非還流運用モード用の制御プログラムに基づいて硬貨入出金装置１１を制御する。
【０１１０】
この非還流運用モードでは、六つの硬貨出金収納部１４０〜１４５のうちの一つは一時貯留部とされ、残り五つが金種別とされる。すなわち、還流運用モードにおける５００円硬貨用の硬貨出金収納部１４０が一時貯留部とされる。
【０１１１】
非還流運用モードでの運用時に、硬貨入金口１５に硬貨が投入された状態で操作部１６に入金操作が入力されると、制御部７５は、入金動作を開始させる。つまり、図２１（ａ）および（ｂ）に太線で示すように、硬貨入金口１５の硬貨をベルトコンベア１０６および図示せぬ分離ローラで一枚ずつ分離して入金硬貨搬送部１０３に繰り出し、入金硬貨搬送部１０３で搬送しつつ硬貨識別部１２０で識別する。そして、硬貨識別部１２０の識別結果に基づき、偽硬貨、汚損硬貨および判別不能とされた硬貨は、開閉リジェクト部１２１がリジェクト孔１２３から落下させ硬貨リジェクト口１９に繰り出させることで、機外にリジェクトされる。
【０１１２】
他方、硬貨識別部１２０の識別結果に基づき、真硬貨かつ汚損のない正硬貨とされた硬貨は、閉じられた開閉リジェクト部１２１をそのまま入金硬貨搬送部１０３の下流側に通過し、開閉選別部１３０ですべて硬貨出金収納部１４０に落下され一時貯留される。
【０１１３】
ここで、制御部７５は硬貨識別部１２０の識別結果つまり金種毎の計数値をＲＡＭ７７に一時的に記憶させており、硬貨入金口１５に投入されたすべての硬貨が硬貨出金収納部１４０および硬貨リジェクト口１９のいずれかに案内されると、制御部７５は、案内表示部１７に硬貨識別部１２０の計数結果を表示させるとともに、その後の処理を促す表示を行う。すなわち、追加入金をするか、入金取消をするか、入金確定をするかを問う。
【０１１４】
追加入金のために、硬貨入金口１５に硬貨が投入されて操作部１６に追加入金操作が入力されると、制御部７５は、上記と同様にして、硬貨を入金硬貨搬送部１０３に繰り出し、硬貨識別部１２０で識別して、硬貨識別部１２０の識別結果に基づき、硬貨出金収納部１４０および硬貨リジェクト口１９のいずれかに導き、案内表示部１７に硬貨識別部１２０の計数結果を表示させて、その後の処理を促す表示を行う。
【０１１５】
操作者が入金確定操作を操作部１６に入力すると、制御部７５は、入金を確定し、続いて、図２２（ａ）および（ｂ）に太線で示すように、硬貨出金収納部１４０に一時貯留させていた硬貨をベルトコンベア１４７、分離ローラ１４８および硬貨出金収納部１４０のソレノイド１５１によってシュート１５４に繰り出させ、振分部１５６で硬貨回収庫２０に収納させる収納動作を行う。そして、硬貨出金収納部１４０内のすべての一時貯留硬貨が硬貨回収庫２０に収納されると制御部７５は収納動作を含む入金動作を終了する。つまり、硬貨出金収納部１４０に一時貯留させた硬貨を他の硬貨出金収納部１４１〜１４５に金種別に振り分けて収納することは構造上不可能であることから、入金確定後の硬貨は一括して硬貨回収庫２０に収納させることになる。これにより、入金した硬貨を出金用に使用する還流式ではない非還流式となる。なお、出金用の識別部が設けられていないため、制御部７５は、上記のように入金確定前にＲＡＭ７７に記憶した計数データを入金確定後一括して硬貨入出金装置１１内の在高合計データに加算することになる。
【０１１６】
操作者が追加入金操作および入金確定操作ではなく入金取消操作を操作部１６に入力すると、制御部７５は、図２３（ａ）および（ｂ）に太線で示すように、硬貨出金収納部１４０に一時貯留されていた硬貨をすべて硬貨出金収納部１４０からベルトコンベア１４７、分離ローラ１４８および硬貨出金収納部１４０のソレノイド１５１によってシュート１５４に繰り出させ、振分部１５６で硬貨出金口１８に繰り出させることで返却する返却動作を行う。そして、硬貨出金口１８から硬貨が取り除かれたことがセンサ１５８で検出されると制御部７５は返却動作を含む入金動作を終了する。これにより、硬貨入金口１５に入金された硬貨そのものが硬貨出金口１８に繰り出され返却されることになる。このとき、制御部７５は、入金取消操作前にＲＡＭ７７に記憶した計数データを入金取消操作時に一括して消去することになる。
【０１１７】
以上のように、複数ある硬貨出金収納部１４０〜１４５のうちの一つの硬貨出金収納部１４０を一時貯留部として使用することで、入金確定動作の前後で硬貨の所在および管理が明確になり、より厳密な運用が可能になる。
【０１１８】
非還流運用モードでの運用時に、操作部１６に出金操作が入力されると、制御部７５は、出金動作を開始させる。すなわち、図２４（ａ）および（ｂ）に太線で示すように、操作部１６に入力された金額の硬貨を、一時貯留部を構成する硬貨出金収納部１４０を除く硬貨出金収納部１４１〜１４５から出金計数センサ１５２で計数しつつベルトコンベア１４７、分離ローラ１４８およびソレノイド１５１によってシュート１５４に繰り出させ、振分部１５６で硬貨出金口１８に繰り出させる。その後、硬貨出金口１８から硬貨が取り除かれたことがセンサ１５８で検出されると制御部７５は出金動作を終了する。この場合は、五金種の硬貨（１円硬貨、５円硬貨、１０円硬貨、５０円硬貨および１００円硬貨）のみが出金用として繰り出されることになる。
【０１１９】
非還流運用モードでの運用時に、硬貨入金口１５に補充硬貨が投入されて操作部１６に補充操作が入力されると、制御部７５は、補充動作を開始させる。すなわち、図２５（ａ）および（ｂ）に太線で示すように、硬貨入金口１５の硬貨を硬貨入金口１５から一枚ずつ分離して入金硬貨搬送部１０３で搬送し、硬貨識別部１２０で識別する。そして、硬貨識別部１２０の識別結果に基づき、偽硬貨、汚損硬貨および判別不能とされた硬貨は、開閉リジェクト部１２１が入金硬貨搬送部１０３から硬貨リジェクト口１９に繰り出させる。他方、硬貨識別部１２０の識別結果に基づき、真硬貨でありかつ汚損でない正硬貨とされた硬貨は、閉じられた開閉リジェクト部１２１および開閉選別部１３０をそのまま入金硬貨搬送部１０３の下流側に通過し、金種に応じた硬貨出金収納部１４１〜１４５に収納される。つまり、１円硬貨であれば選別孔１３３で落下して硬貨出金収納部１４１に収納され、５０円硬貨であれば選別孔１３４で落下して硬貨出金収納部１４２に収納され、５円硬貨であれば選別孔１３５で落下して硬貨出金収納部１４３に収納され、１００円硬貨であれば選別孔１３６で落下して硬貨出金収納部１４４に収納され、１０円硬貨であれば選別孔１３７で落下して硬貨出金収納部１４５に収納される。なお、オーバーフロー硬貨および補充の必要がない５００円硬貨が混入していた場合については、例えば、すべて開閉リジェクト部１２１を介して硬貨リジェクト口１９に返却する。硬貨入金口１５のすべての硬貨が硬貨出金収納部１４１〜１４５および硬貨リジェクト口１９のいずれかに案内され、操作者が補充確定操作を操作部１６に入力すると、補充動作での計数データを補充確定後一括して硬貨入出金装置１１内の在高合計データに加算する。
【０１２０】
非還流運用モードでの運用時に、操作部１６に回収指示操作が入力されると、制御部７５は、回収動作を開始させる。すなわち、図２６（ａ）および（ｂ）に太線で示すように、一時貯留部を構成する硬貨出金収納部１４０を除く硬貨出金収納部１４１〜１４５において全硬貨をベルトコンベア１４７、分離ローラ１４８およびソレノイド１５１によってシュート１５４に繰り出させ、振分部１５６で硬貨回収庫２０に繰り出させる。硬貨出金収納部１４１〜１４５内にあったすべての硬貨が硬貨回収庫２０に収納されたことが検出されると制御部７５は回収動作を終了する。その後、操作者は硬貨回収庫２０を取り外して硬貨を取り出す。なお、回収動作においてすべての硬貨を硬貨出金口１８に繰り出すようにしても良い。この場合、各金種別に回収することができる。
【０１２１】
ここで、硬貨入出金装置１１においても、還流運用モードから非還流運用モードへの切り換え、および非還流運用モードから還流運用モードへの切り換えは、操作部１６への所定の切換操作でそれぞれの制御プログラムがＲＯＭ７６から読み出されることで行われる。つまり、制御部７５がＲＯＭ７６から還流運用モード用の制御プログラムを読み出すことで還流運用モードが実行可能となり、制御部７５がＲＯＭ７６から非還流運用モード用の制御プログラムを読み出すことで非還流運用モードが実行可能となる。なお、モードの切り換えは、操作部１６への所定の操作入力ではなく、別体のキーを有する切換装置を設けて、この切換装置のキー操作により行うようにしても良い。
【０１２２】
還流運用モードから非還流運用モードへの切り換え時には、金種別収納部として使用されていた硬貨出金収納部１４０を一時貯留部として使用することになるため、この硬貨出金収納部１４０を空にしなければならない。このため、操作者が操作部１６へ還流運用モードから非還流運用モードへ切り換えるための所定の切換操作を行うと、制御部７５は、ＲＯＭ７６から硬貨出金収納部１４０を一時貯留部として使用する非還流運用モード用の制御プログラムを読み出し、同時に、ＲＡＭ７７に記憶された計数データおよび硬貨出金収納部１４０に設けられたセンサ１５３によって一時貯留部に設定される硬貨出金収納部１４０内に硬貨があるか否かの確認を行う。そしてこの硬貨出金収納部１４０内に硬貨が存在する場合に、制御部７５は、一時貯留部に設定された硬貨出金収納部１４０の硬貨を自動的に硬貨回収庫２０に収納させる。つまり、図２２（ａ）および（ｂ）に太線で示す非還流運用モードにおける入金確定後の収納動作と同様に、硬貨出金収納部１４０内の硬貨をすべて、ベルトコンベア１４７、分離ローラ１４８および硬貨出金収納部１４０のソレノイド１５１によってシュート１５４に繰り出させ、振分部１５６で硬貨回収庫２０に収納させる。そして、硬貨出金収納部１４０内の全ての硬貨が硬貨回収庫２０内に移動して硬貨出金収納部１４０内が空になると、非還流運用モードでの運用を開始させる。勿論、上記確認で硬貨出金収納部１４０内に硬貨がない場合、そのまま非還流運用モードでの運用を開始させることになる。すなわち、入金、出金、補充、回収等、操作者による操作部１６への次の入力が行われるまで待機する。以上により、還流運用モードおよび非還流運用モードの両方の運用が問題なく可能となる。
【０１２３】
他方、操作者が操作部へ非還流運用モードから還流運用モードへ切り換えるための所定の切換操作を行うと、制御部７５は、ＲＯＭ７６から硬貨出金収納部１４０を金種別収納部として使用する還流運用モード用の制御プログラムを読み出す。この場合は、前段の作業で、一時貯留部としての硬貨出金収納部１４０に硬貨が残ったまま次の作業に移ることはなく、しかもモードの切り換えは全ての動作が終了している場合にのみ可能であることから、それまでの処理において硬貨出金収納部１４０内に一時貯留された硬貨がそのまま留まっていることはない。このため、硬貨出金収納部１４０の硬貨を硬貨回収庫２０へ移動させる処理は必要ない。そして、そのまま還流運用モードでの運用を開始させることになる。すなわち、入金、出金、補充、回収等、操作者による操作部１６への次の入力が行われるまで待機する。
【０１２４】
なお、還流運用モードで硬貨出金収納部１４０に収納する硬貨の金種は上記したように５００円硬貨である。
また、新たに還流式の金種別収納部となった硬貨出金収納部１４０に対しては、還流運用モードの動作開始に当たって、硬貨を補充させるようにするのが良い。
【０１２５】
以上に述べた貨幣入出金機１０の硬貨入出金装置１１によれば、複数の入出金可能な硬貨出金収納部１４０〜１４５をすべて金種別収納部として使用し、硬貨入金口１５に投入され硬貨識別部１２０で識別および計数された硬貨を金種別に選別して、一時貯留させることなく金種別収納部である各硬貨出金収納部１４０〜１４５に収納する還流運用モードでの運用を選択することで、一時貯留部が不要な構成にでき、小型化、簡素化および低コスト化が図られた還流式の機械となる。そして、必要に応じて、複数の入出金可能な硬貨出金収納部１４０〜１４５のうちのいずれか一つである硬貨出金収納部１４０を一時貯留部として使用し、硬貨入金口１５に投入され硬貨識別部１２０で識別および計数された硬貨を金種混合状態で一時貯留部である硬貨出金収納部１４０に一時貯留させ、この一時貯留部である硬貨出金収納部１４０に一時貯留された硬貨を、操作部１６への入金確定操作後に硬貨出金収納部１４１〜１４５には収納せずに硬貨回収庫２０に収納する一方、操作部１６への返却操作後に硬貨出金口１８に返却する非還流運用モードを選択することで、操作者側管理の硬貨と機械側管理の硬貨との区別を明確する運用が可能となる。
【０１２６】
また、ＲＯＭ７６から還流運用モード用の制御プログラムを読み出すことで還流運用モードが実行可能とされ、ＲＯＭ７６から非還流運用モード用の制御プログラムを読み出すことで非還流運用モードが実行可能とされるため、ＲＯＭ７６の制御プログラムの切り換えのみで、還流運用モードでの運用および非還流運用モードでの運用が切り換え可能となる。したがって、ハードについては切り換えが不要であり、還流運用モードでの運用および非還流運用モードでの運用が容易に切り換え可能となる。
【０１２７】
さらに、還流運用モードから非還流運用モードに切り換えられた時に、一時貯留部に設定された硬貨出金収納部１４０の硬貨を自動的に硬貨回収庫２０に収納させることになるため、一時貯留部に設定された硬貨出金収納部１４０に還流運用モードでの硬貨が残存した状態でこれに非還流運用モードでの一時貯留硬貨が混ざってしまうことがなくなる。
【０１２８】
加えて、非還流運用モードから還流運用モードに切り換えられた時に、非還流運用モードで一時貯留部に設定されていた硬貨出金収納部１４０を５００円硬貨の金種別収納部として自動設定するため、非還流運用モードでの一時貯留部となる硬貨出金収納部１４０を、還流運用モードでの５００円硬貨用と共通にすることで、金種別収納部が少ない非還流運用モードにおいて、出金頻度が高い少額硬貨を出金可能にすることができる。
【０１２９】
なお、硬貨入出金装置１１においても、還流運用モード用の制御プログラムと非還流運用モード用の制御プログラムとが記憶されたＲＯＭ７６からモード切り換え時に制御部７５が対応するモード用の制御プログラムを読み出すのではなく、還流運用モード用の制御プログラムが記憶されたＲＯＭと非還流運用モード用の制御プログラムが記憶されたＲＯＭとを用意し、モード切り換え時に対応するモード用のＲＯＭに交換するようにしても良い。この場合、ＲＯＭを交換する際に、全ての動作を終了させ、硬貨入出金装置１１内の硬貨をすべて回収し硬貨入出金装置１１内の硬貨を空にしてから行うことになる。
【０１３０】
以上においては、硬貨入出金装置１１と紙幣入出金装置１２とを備えた貨幣入出金機１０を例にとり説明したが、勿論、硬貨のみを入出金させる貨幣入出金機および紙幣のみを入出金させる貨幣入出金機のいずれにも適用可能である。
【符号の説明】
【０１３１】
１０  貨幣入出金機
１５  硬貨入金口（入金口）
１６  （操作部）
１８  硬貨出金口（出金部）
２０  硬貨回収庫（第２収納部）
２２  紙幣入金口（入金口）
２３  紙幣出金口（出金部）
２４  紙幣回収庫（第２収納部）
３１  入金紙幣搬送路（貨幣搬送手段）
３２  紙幣識別部（識別部）
３８〜４０  スタッカ（第１収納部）
７５  制御部
７６  ＲＯＭ（記憶手段）
１０３  入金硬貨搬送部（貨幣搬送手段）
１２０  硬貨識別部（識別部）
１４０〜１４５  硬貨出金収納部（第１収納部）
【図１】
2010102744.tif 000003
【図２】
2010102744.tif 000004
【図３】
2010102744.tif 000005
【図４】
2010102744.tif 000006
【図５】
2010102744.tif 000007
【図６】
2010102744.tif 000008
【図７】
2010102744.tif 000009
【図８】
2010102744.tif 000010
【図９】
2010102744.tif 000011
【図１０】
2010102744.tif 000012
【図１１】
2010102744.tif 000013
【図１２】
2010102744.tif 000014
【図１３】
2010102744.tif 000015
【図１４】
2010102744.tif 000016
【図１５】
2010102744.tif 000017
【図１６】
2010102744.tif 000018
【図１７】
2010102744.tif 000019
【図１８】
2010102744.tif 000020
【図１９】
2010102744.tif 000021
【図２０】
2010102744.tif 000022
【図２１】
2010102744.tif 000023
【図２２】
2010102744.tif 000024
【図２３】
2010102744.tif 000025
【図２４】
2010102744.tif 000026
【図２５】
2010102744.tif 000027
【図２６】
2010102744.tif 000028